(57)【要約】【課題】  本発明は、口と鼻を密着するように覆わないで、顔面から落下する異物を受け入れて、前記異物が離散するのを防止するアゴ密着型トレイに関するものである。【解決手段】  本発明のアゴ密着型トレイは、フィルム状透光性部材と、横方向に柔軟性を備えた伸縮部材と、横方向に伸縮することができる接着部材とが順次接着剤によって接着されている。前記フィルム状透光性部材は、下部に少なくとも一つの切欠き部を備えており、アゴの形状にフィットし易くするもので、透明なフィルムからなる。前記伸縮部材は、前記切欠き部の上部に設けられ、横方向に柔軟性を有する繊維または不織布等からなる。前記接着部材は、前記フィルム状透光性部材における切欠き部の上、または前記伸縮部材の下部上に設けられ、皮膚に着脱できる接着力を有するとともに横方向に伸縮することができる。【選択図】  図１
2005027926.tif 000002
【特許請求の範囲】
【請求項１】
下部に少なくとも一つの切欠き部を備えたフィルム状透光性部材と、
前記切欠き部に設けられた横方向に柔軟性を備えた伸縮部材と、
前記フィルム状透光性部材における切欠き部または前記伸縮部材の下部上に設けられ、皮膚に着脱できる接着力を有するとともに横方向に伸縮することができる接着部材と、
から少なくとも構成されることを特徴とするアゴ密着型トレイ。
【請求項２】
顔面を覆うフィルム状透光性部材と、
前記フィルム状透光性部材の下部周縁に設けられ、かつ、皮膚に着脱できる接着力を有する接着剤が塗布されている横方向に伸縮する接着部材と、
から構成されることを特徴とするアゴ密着型トレイ。
【請求項３】
前記フィルム状透光性部材は、顔面の眉毛までを覆う大きさであることを特徴とする請求項１または請求項２に記載されたアゴ密着型トレイ。
【請求項４】
前記フィルム状透光性部材の形状は、台形または上下反対の台形からなることを特徴とする請求項１ないし請求項３のいずれか１項に記載されたアゴ密着型トレイ。
【請求項５】
前記フィルム状透光性部材は、下方部分が着色されていることを特徴とする請求項１ないし請求項４のいずれか１項に記載されたアゴ密着型トレイ。
【請求項６】
前記接着部材には、通気孔が設けられていることを特徴とする請求項１ないし請求項５のいずれか１項に記載されたアゴ密着型トレイ。
【請求項７】
前記フィルム状透光性部材、前記伸縮部材、および前記接着部材は、一部に接着剤が付けられた積層状態で保存されていることを特徴とする請求項１ないし請求項６のいずれか１項に記載されたアゴ密着型トレイ。
【請求項８】
前記フィルム状透光性部材、前記伸縮部材、および前記接着部材は、屈曲自在な枠部材に接着されることを特徴とする請求項１ないし請求項７のいずれか１項に記載されたアゴ密着型トレイ。
【請求項９】
前記伸縮部材または接着部材は、頭巾型キャップに接着されていることを特徴とする請求項１ないし請求項８のいずれか１項に記載されたアゴ密着型トレイ。    
【請求項１０】
前記フィルム状透光性部材、前記伸縮部材、前記接着部材の少なくとも一つにおける顔面側の一部に接着剤が塗布されており、前記接着剤によってゴミ等を付着させることを特徴とする請求項１ないし請求項９のいずれか１項に記載されたアゴ密着型トレイ。
【発明の詳細な説明】
【技術分野】
【０００１】
本発明は、口と鼻を密着するように覆わないで、顔面等から落下する体毛、体液等の異物を受け入れて、前記異物が離散するのを防止するアゴ密着型トレイに関するものである。前記アゴ密着型トレイは、たとえば、医師、歯科医師、理容師、美容師、調理師、食堂の従業員、食品加工工場の従業員、あるいは、顔面から落下する体毛、体液等の異物が離散すると都合の悪い仕事に従事している人に必要なもので、耳や首または後頭部等にかけるストラップをなくすことで、長時間着用していても、違和感のないものである。
【背景技術】
【０００２】
従来、医師、歯科医師、理容師、美容師、調理師、食堂の従業員、食品加工工場の従業員、あるいは、顔面等から落下する体毛、体液等の異物が離散すると都合の悪い仕事に従事している人々は、口または鼻を密着した紙材または布材等で覆い、顔面等から体毛、体液等の異物の落下を防止していた。前記医師、歯科医師、理容師、美容師は、顧客の顔面近くで仕事を行う必要があるため、顧客に直接息が当たらないように口および鼻を前記紙材または布材等で覆う必要があった。      
【０００３】
たとえば、特開平１１−１２８３７８号公報には、顔面の口や鼻を覆う基布の周囲に高粘弾性の粘着剤を設置し、前記基布と皮膚を密着させることにより、口や鼻に異物が入るのを防止することが記載されている。前記公報のものは、前記基布の周囲に粘着剤を設置することにより、前記基布を顔面に装着する際の紐やゴムが不要になった。
【０００４】
特開平１０−２４８９４８号公報、および特開平１０−１６５５２６号公報には、口と鼻を覆う部材の外周に粘着剤を付け、顔面との隙間から異物が入るのを防止するとともに、耳にかける紐を省略することができるという記載がある。
【０００５】
【特許文献１】特開平１１−１２８３７８号公報
【特許文献２】特開平１０−２４８９４８号公報
【特許文献３】特開平１０−１６５５２６号公報
【発明の開示】
【発明が解決しようとする課題】
【０００６】
前記各特許文献に記載されているものは、口や鼻に異物が入るのを防止しようとするものである。これに対して、本発明は、口や鼻から出るもの、あるいは、皮膚、まつ毛、まゆ毛、鼻毛等の落下が顧客に当たったり、あるいは、食品等に混入するのを防止しようとするものであり、前記各特許文献と発想が全く異なっている。
【０００７】
前記各特許文献に記載されているものは、外出時のように一時的に着用する場合が多いのに対して、本発明のアゴ密着型トレイは、仕事をしている間中着用する必要がある。そのため、本発明のアゴ密着型トレイは、ノンストラップ型でしかも、アゴに密着し、顔面等から落下した体毛、体液等の異物を離散させないような構造になっている。
【課題を解決するための手段】
【０００８】
（第１発明）
第１発明のアゴ密着型トレイは、下部に少なくとも一つの切欠き部を備えたフィルム状透光性部材と、前記切欠き部に設けられた横方向に柔軟性を備えた伸縮部材と、前記フィルム状透光性部材における切欠き部または前記伸縮部材の下部上に設けられ、皮膚に着脱できる接着力を有するとともに横方向に伸縮することができる接着部材と、から少なくとも構成されることを特徴とする。
【０００９】
（第２発明）
第２発明のアゴ密着型トレイは、顔面を覆うフィルム状透光性部材と、前記フィルム状透光性部材の下部周縁に設けられ、かつ、皮膚に着脱できる接着力を有する接着剤が塗布されている横方向に伸縮する接着部材と、から構成されることを特徴とする。
【００１０】
（第３発明）
第３発明のアゴ密着型トレイにおいて、フィルム状透光性部材は、顔面の眉毛までを覆う大きさであることを特徴とする。
【００１１】
（第４発明）
第４発明のアゴ密着型トレイにおいて、フィルム状透光性部材の形状は、台形または上下反対の台形からなることを特徴とする。
【００１２】
（第５発明）
第５発明のアゴ密着型トレイにおいて、フィルム状透光性部材は、下方部分が着色されていることを特徴とする。
【００１３】
（第６発明）
第６発明のアゴ密着型トレイにおいて、接着部材には、通気孔が設けられていることを特徴とする。
【００１４】
（第７発明）
第７発明のアゴ密着型トレイにおいて、フィルム状透光性部材、伸縮部材、および接着部材は、一部に接着剤が付けられた積層状態で保存されていることを特徴とする。
【００１５】
（第８発明）
第８発明のアゴ密着型トレイにおいて、フィルム状透光性部材、伸縮部材、および接着部材は、屈曲自在な枠部材に接着されることを特徴とする。
【００１６】
（第９発明）
第９発明のアゴ密着型トレイにおいて、伸縮部材または接着部材は、頭巾型キャップに接着されていることを特徴とする。
【００１７】
（第１０発明）
第１０発明のアゴ密着型トレイは、フィルム状透光性部材、伸縮部材、接着部材の少なくとも一つにおける顔面側の一部に接着剤が塗布されており、前記接着剤によってゴミ等を付着させることを特徴とする。
【発明の効果】
【００１８】
本発明によれば、口と鼻を直接覆わずに開放されているため、口や鼻に対する圧迫感がないだけでなく、上方に向かって息が出るため、透光性フィルムが曇り、仕事がし難いということがない。
【００１９】
本発明によれば、皮膚の一部、まつ毛、まゆ毛、鼻毛、あるいは、口や鼻から出る微粒子が落下して離散されずに、アゴ密着型トレイの下部に収納または接着させることができる。
【００２０】
本発明によれば、顧客の顔面近くで仕事をするサービス業者がアゴ密着型トレイを装着することにより、顧客に直接息が当たらないため、高い質のサービスが可能になる。
【発明を実施するための最良の形態】
【００２１】
（第１発明）
第１発明のアゴ密着型トレイは、フィルム状透光性部材と、横方向に柔軟性を備えた伸縮部材と、横方向に伸縮することができる接着部材とが順次接着剤によって接着されている。前記フィルム状透光性部材は、下部に少なくとも一つの切欠き部を備えており、アゴの形状にフィットし易くするもので、透明なフィルムからなる。また、前記切欠き部は、複数設けられて櫛形のようにして、アゴの形状に合わせ易くすることができる。
【００２２】
また、柔軟性を備えた伸縮部材は、前記切欠き部の上部に設けられ、横方向に柔軟性を有する繊維または不織布等からなる。前記接着部材は、前記フィルム状透光性部材における切欠き部の上、または前記伸縮部材の下部上に設けられ、皮膚に着脱できる接着力を有するとともに横方向に伸縮することができる。
【００２３】
前記フィルム状透光性部材、前記柔軟性を備えた伸縮部材、および前記接着部材は、通常、使い捨てにするものである。また、これらの接着剤は、本発明のアゴ密着型トレイを顔面に保持できる程度の粘着力を必要とし、かつ、肌に優しく、悪影響を与えないものである。
【００２４】
第１発明のアゴ密着型トレイは、上方が開放されているため、フィルム状透光性部材が曇ることなく、顔面等から落下する体毛、体液等の異物を全て収納することができる。また、前記アゴ密着型トレイは、紐がないため、長時間顔に装着していても、肩が凝ったり、違和感を持つことがない。
【００２５】
（第２発明）
第２発明のアゴ密着型トレイは、顔面を覆うフィルム状透光性部材と、前記フィルム状透光性部材の下部周縁に設けられ、皮膚に着脱できる接着力を有する接着剤が塗布されている横方向に伸縮する接着部材とから構成されている点で第１発明と異なっている。顔面のアゴの部分は、前記接着部材の伸縮性によりフィットする。前記フィルム状透光性部材の下部周縁にしわができても、前記伸縮性のある接着部材を大きめに顔面に貼ることで解決できる。また、前記フィルム状透光性部材の下部に少なくとも一つの切欠き部を設けておくこともできる。
【００２６】
第２発明は、顔面等から出た体毛、体液等の異物が前記フィルム状透光性部材の隙間（しわ）に収納されたり、あるいは、前記接着部材に接着されることにより、前記異物を離散させることがない。また、接着部材の形状は、下部周縁であるが、下部と頬の部分まで延ばすことができる。
【００２７】
（第３発明）
第３発明のアゴ密着型トレイにおけるフィルム状透光性部材は、顔面のほとんど、たとえば、顔面のまゆ毛までを覆う大きさである。第３発明のアゴ密着型トレイとキャップを付けた者は、体毛、体液等の異物や息を顧客に当てることがなく、また、食料品に体から出る前記異物を混入させることがない。
【００２８】
（第４発明）
第４発明のアゴ密着型トレイは、フィルム状透光性部材の形状が台形または上下反対の台形とし、使用目的によって、トレイの形状を変えることができる。
【００２９】
（第５発明）
第５発明のアゴ密着型トレイは、フィルム状透光性部材の下方部分が着色されている。フィルム状透光性部材に付けられた色は、異物が何であるかを知ることができる。前記異物は、アゴ密着型トレイによって外部に出ないだけでなく、前記異物の種類が判り、前記異物の発生を少なくするための対策を立てることができる。
【００３０】
（第６発明）
第６発明のアゴ密着型トレイは、接着部材に通気孔を設け、長時間の着用に対する皮膚のかぶれ、肌荒れを防止する。
【００３１】
（第７発明）
第７発明のアゴ密着型トレイは、積層状態に保存されているフィルム状透光性部材、伸縮部材、および接着部材を一枚ずつ剥がし、フィルム状透光性部材の上に、伸縮部材、さらに、その上に接着部材を貼り付ける。前記各部材には、その一部に接着剤が付けられ、それぞれを積層状態、たとえば、ポストイットのようにして保存されている。
【００３２】
（第８発明）
第８発明のアゴ密着型トレイは、たとえば、形状記憶合金のように形状が自由になる屈曲自在な部材から構成されている。そして、フィルム状透光性部材、伸縮部材、および接着部材は、前記屈曲自在な枠部材に接着されて、アゴ密着型トレイとなる。前記枠部材は、丈夫であるため、何回も使用でき、それ以外の部材を薄く形成し、使い捨てとすることができる。
【００３３】
（第９発明）
第９発明のアゴ密着型トレイは、伸縮部材または接着部材が頭巾型キャップに接着される。前記アゴ密着型トレイは、アゴの部分と左右のキャップ部分に密着することができ、この部分に体毛、体液等の異物を収納または接着させることができる。
【００３４】
（第１０発明）
第１０発明のアゴ密着型トレイは、顔面の内部にフィルム状透光性部材、伸縮部材、接着部材の少なくとも一つの一部に接着剤が塗布されており、前記接着剤によってゴミ等や体毛、体液等の異物を付着させて、外部に離散するのを防止する。
【実施例１】
【００３５】
図１は本発明におけるアゴ密着型トレイの第一実施例であり、フィルム状透光性部材と、横方向に柔軟性を備えた伸縮部材と、横方向に伸縮することができる接着部材とが順次接着剤により接着されている状態を説明するための図である。図２は本発明の一実施例で、図１のＡ−Ａ断面図である。図３は本発明の一実施例で、各部材を説明するための図である。
【００３６】
図１ないし図３において、アゴ密着型トレイ１を構成しているフィルム状透光性部材１１は、たとえば、オレフィン系樹脂、ポリエチレン系樹脂、アクリル系樹脂等、透明な薄いフィルムで、使い捨てができる部材であれば良い。また、前記フィルム状透光性部材１１の形状は、図１ないし図３に示す方形、または台形、あるいは逆台形として、アゴ密着型トレイ１の使用目的によって変えることができる。
【００３７】
前記フィルム状透光性部材１１は、下方が少なくとも一つの切欠き部１２１が設けられている。前記切欠き部１２１は、切欠きの代わりに、櫛形状に形成することもできる。このような切欠き部１２１は、前記フィルム状透光性部材１１をアゴに密着させる場合、フィットし易くなっている。
【００３８】
柔軟性を備えた伸縮部材１２は、織物または不織布で横方向に伸縮が自在になっている。そして、前記伸縮部材１２は、図２に示すように、前記フィルム状透光性部材１１の上に設けられる。前記伸縮部材１２は、図２に示すのと異なり、フィルム状透光性部材１１の下部に揃えて設けることもできる。
【００３９】
接着部材１３は、フィルム状透光性部材１１の櫛形状の部分または伸縮部材１２の上に設けることができ、横方向に伸縮できる素材で、一方の側に接着剤が塗布されている。また、前記接着部材１３は、皮膚がかぶれないように、通気性がよくなるように孔を設けておくことができる。
【００４０】
前記アゴ密着型トレイ１は、前記切欠き部１２１、伸縮部材１２、および接着部材１３の横方向の伸縮を利用して、アゴの部分に密着させることができる。また、アゴに接着させる接着剤は、たとえば、特開平１１−１２８３７８号公報に示されているような高含水性ジェルを使用することができる。前記高含水性ジェルは、たとえば、アクリル酸化合物やゼラチン等の水溶性高分子等がある。
【００４１】
前記接着剤には、ミントやユーカリ等の精油を含有させることができる。前記接着剤は、アゴ密着型トレイ１を顔に付ける際に、前記精油が発揮され、装着する人に清涼感を与えることができる。図４は本発明の第一実施例の使用状態を説明するための図である。図４において、アゴ密着型トレイ１は、その接着部材１３をアゴに沿って貼り付ける。前記接着部材１３のアゴへの貼り付けは、前記接着部材１３の下部から体毛、体液等の異物が落下しないように注意する。
【実施例２】
【００４２】
図５は本発明におけるアゴ密着型トレイの第二実施例であり、フィルム状透光性部材と、横方向に伸縮することができる接着部材とが順次接着剤により接着されている状態を説明するための図である。図５において、アゴ密着型トレイ４におけるフィルム状透光性部材４１は、第一実施例と同じ部材からなり、下部に切欠き部を有していない。接着部材４２は、前記フィルム状透光性部材４１の下部周縁に設けられている。
【００４３】
図５は本発明の第二実施例の使用状態を説明するための図である。図５において、アゴ密着型トレイ４は、その接着部材４２をアゴに沿って貼り付ける。前記接着部材４２のアゴへの貼り付けは、前記接着部材４２の下部から体毛、体液等の異物が落下しないように注意する。
【００４４】
本発明のアゴ密着型トレイは、頭巾型のキャップと組み合わせることができる。アゴ密着型トレイの接着部材４２の部分を第一実施例および第二実施例より大きめにとり、キャップに接着するとともに、接着部材により、体毛、体液等の異物の落下を収容または接着して保持することができる。また、前記接着部材４２の部分は、下部を一本にしたり、あるいは太くまたは細くして形状を変えることができる。
【産業上の利用可能性】
【００４５】
以上、本発明の実施例を詳述したが、本発明は、前記実施例に限定されるものではない。そして、本発明は、特許請求の範囲に記載された事項を逸脱することがなければ、種々の設計変更を行うことが可能である。たとえば、本発明のアゴ密着型トレイは、医師、歯科医師、理容師、美容師の他に、顧客に顔を接近してサービスを行うことによって、顧客の顔に体毛、体液等の異物が飛んだり、あるいは息がかかる仕事に従事している者が使用できる。
【００４６】
また、前記アゴ密着型トレイは、調理師、食堂の従業員、食品加工工場の従業員の他に、仕事中に顔面から落下する体毛、体液等の異物が混入する恐れのある、食品関連事業の従事者が使用できる。さらに、アゴ密着型トレイは、近年、入国管理者、検疫業務、看護および／または介護業務を行う者が使用することができる。また、前記アゴ密着型トレイは、使い捨て以外に、形状を頑丈に作製することにより、複数回使用するようにすることができる。
【図面の簡単な説明】
【００４７】
【図１】本発明におけるアゴ密着型トレイの第一実施例であり、フィルム状透光性部材と、横方向に柔軟性を備えた伸縮部材と、横方向に伸縮することができる接着部材とが順次接着剤により接着されている状態を説明するための図である。（実施例１）
【図２】本発明の一実施例で、図１のＡ−Ａ断面図である。
【図３】本発明の一実施例で、各部材を説明するための図である。
【図４】本発明の第一実施例の使用状態を説明するための図である。
【図５】本発明におけるアゴ密着型トレイの第二実施例であり、フィルム状透光性部材と、横方向に伸縮することができる接着部材とが順次接着剤により接着されている状態を説明するための図である。（実施例２）
【図６】本発明の第二実施例の使用状態を説明するための図である。
【符号の説明】
【００４８】
１、４・・・アゴ密着型トレイ
１１、４１・・・フィルム状透光性部材
１２・・・伸縮部材
１２１・・切欠き部
１３、４２・・・接着部材
【図１】
2005027926.tif 000003
【図２】
2005027926.tif 000004
【図３】
2005027926.tif 000005
【図４】
2005027926.tif 000006
【図５】
2005027926.tif 000007
【図６】
2005027926.tif 000008